(57)【要約】【課題】突起感のないシンプルな形状で、しかも、着座時からの立上がり動作を容易にする。【解決手段】前後の下部にキャスタ９がそれぞれ設けられた左右一対のサイドフレーム３を、前方フレーム１１、後方フレーム１３とその前方フレーム１１、後方フレーム１３の上端をつなぐ上部フレーム１５と、その上部フレーム１５より長く形成され前記前方フレーム１１、後方フレーム１３の下端をつなぐ下部フレーム１７とで形成し、その左右のサイドフレーム３を少なくとも上位側のクロスメンバ５と下位側のクロスメンバ７とによって結合支持する。そして、前記上部フレーム１５を前方フレーム１１から後方フレーム１３へかけて下降傾斜させた歩行用握り部１９、上部フレーム１５から後方フレーム１３へ続くコーナ領域を大きなアール部に形成した取手握り部２１とし、取手握り部２１の位置を低くする。【選択図】図１
2006109944.tif 000002
【特許請求の範囲】
【請求項１】
前後の下部にキャスタがそれぞれ設けられた左右一対のサイドフレームを、前方フレーム及び後方フレームと、その前方フレームと後方フレームの上端をつなぐ上部フレームと、その上部フレームより長く形成され前記前方フレームと後方フレームの下端をつなぐ下部フレームとで形成し、その左右のサイドフレームを少なくても上位側のクロスメンバと下位側のクロスメンバとによって結合支持する一方、前記上部フレームは前方フレームから後方フレームへかけて下降傾斜した歩行用握り部、上部フレームから後方フレームへ続くコーナ領域は取手握り部となっていることを特徴とする歩行補助器。
【請求項２】
取手握り部となる上部フレームから後方フレームへ続くコーナ領域は、大きなアール部に形成されていることを特徴とする請求項１記載の歩行補助器。
【請求項３】
キャスタを除いた全体は、木材で作られていることを特徴とする請求項１記載の歩行補助器。
【発明の詳細な説明】
【技術分野】
【０００１】
本発明は特に家の中で使用するのに適する歩行補助器に関する。
【背景技術】
【０００２】
一般にお年寄りや身体の不自由な人が歩行する際に歩行補助器が使用される。
【０００３】
歩行補助器の概要は、フレームの下に歩行用のキャスタが取り付けられていて、フレームの上部は歩行用握り部となっている。
【０００４】
歩行用握り部は、立った時に両手で握れる高さとなっているため、例えば、椅子等にこしかけた状態から歩行補助器を使用する際には、歩行用握り部の位置が高くて使用しずらくなるところから、これを解消する手段として、歩行用握り部とは別に、例えば、着座した状態からでも使用できるように起立用握り部を新たに設け、その起立用握り部を利用することで椅子等からの立上り動作を容易にする手段が知られている。
【特許文献１】実用新案登録第３０７６２４９号公報
【発明の開示】
【発明が解決しようとする課題】
【０００５】
立上り動作を補助する起立用握り部は、フレームの後脚に対して後付けするため、その分、コストアップにつながると共に組付性の面でも望ましくない。また、突起感を有する等形状面でも望ましくない。
【０００６】
そこで、本発明は、突起感のないシンプルな形状で、しかも、立上り動作を容易にした歩行補助器を提供することを目的としている。
【課題を解決するための手段】
【０００７】
前記目的を達成するために、本発明にあっては、前後の下部にキャスタがそれぞれ設けられた左右一対のサイドフレームを、前方フレーム及び後方フレームと、その前方フレームと後方フレームの上端をつなぐ上部フレームと、その上部フレームより長く形成され前記前方フレームと後方フレームの下端をつなぐ下部フレームとで形成し、その左右のサイドフレームを少なくても上位側のクロスメンバと下位側のクロスメンバとによって結合支持する一方、前記上部フレームは前方フレームから後方フレームへかけて下降傾斜した歩行用握り部、上部フレームから後方フレームへ続くコーナ領域は取手握り部となっていることを特徴とする  。
【発明の効果】
【０００８】
本発明によれば、取手握り部を低い位置に設定できるため、椅子等に着座した状態から手を伸ばすことで取手握り部を無理なく持つことができるようになり、立上り動作が容易となる。
【０００９】
また、立上がった後、取手握り部から歩行用握り部へ手を移動させる際に、手の動きが不自由であっても、連続しているため歩行用握り部への移動が無理なく容易に行なうことができる。
【００１０】
しかも、全体の構造を突起感のないシンプルな形状にできる。
【発明を実施するための最良の形態】
【００１１】
第１には、取手握り部となる上部フレームから後方へ続くコーナ領域を大きなアール部に形成し、握り易くする。
【００１２】
第２にはキャスタを除いた全体を木材で作ることで、室内の家具等とマッチする構造にすると共に暖かみのある外観形状とする。
【実施例】
【００１３】
以下、図１乃至図４の図面を参照しながら本発明の実施形態について具体的に説明する。
【００１４】
図１は本発明にかかる歩行補助器の側面図、図２はその斜視図をそれぞれ示している。
【００１５】
歩行補助器１は、左右一対のサイドフレーム３とそのサイドフレーム３を結合支持する上位側のクロスメンバ５と下位側のクロスメンバ７と前記サイドフレーム３の前後の下部に設けられたキャスタ９とで構成されている。キャスタ９を除いたサイドフレーム３及び各クロスメンバ５、７は、家の中で使用する際に家具等とマッチするよう材質は暖かみのある木材で作られている。
【００１６】
左右一対のサイドフレーム３は、側方からみた時に台形に近い形状となっていて、前方フレーム１１及び後方フレーム１３と、それら各フレーム１１、１３の上端をつなぐ上部フレーム１５と、その上部フレーム１５より長く形成され前記前方フレーム１１及び後方フレーム１３の下端をつなぐ下部フレーム１７とからなっている。
【００１７】
前方フレーム１１及び後方フレーム１３は、断面が前後に長い楕円に形成されている。下部フレーム１７は断面が上下に長い矩形状となっている。上部フレーム１５は手で容易に握れる径の断面円形状に形成され、前方フレーム１１から後方フレーム１３へかけてθ角で下降傾斜する歩行用握り部１９となっている。
【００１８】
また、上部フレーム１５から後方フレーム１３へ続くコーナ領域は握りやすいように大きなアール部に形成された取手握り部２１となっている。歩行用握り部１９から取手握り部２１までの領域は手に優しい皮でできた滑り止め部材２３によって被覆されている。
【００１９】
取手握り部２１の領域は、上部フレーム１５が後方フレーム１３へ向かって下降傾斜した分、床面２５からの高さが低くなり、例えば、椅子等に着座した状態で手を伸ばすことで容易につかまることができる高さとなっている。
【００２０】
サイドフレーム３を結合支持する上位側のクロスメンバ５は、上下に長い楕円に形成され、その両端面は前記前方フレーム１１に対して突当った状態で、締結ねじ２７によって一体に固定支持されている。上位側のクロスメンバ５は、前記歩行用握り部１９となる上部フレーム１５に肘をのせて身体をあずけた時の前方握り部となっていて、表面は手に優しい皮でできた滑り止め部材２９によって被覆されている。
【００２１】
サイドフレーム３を結合支持する下位側のクロスメンバ７は、断面が横長の楕円に形成されていて、平面からみた時に前方へ湾曲したアーチ形状に作られ、歩行時に前方へ出した足がぶつからないようになっている。下位側のクロスメンバ７の両端は前記下部フレーム１７に対して突当った状態で締結ねじ３１により一体に固定支持されていて、楕円による横長の面接触と両下部フレーム１７を結合支持する手段と相俟って左右のサイドフレーム３の後方フレーム１３側が外側へ拡き勝手となる動きを拘束する拘束手段として働くようになっている。
【００２２】
一方、キャスタ９は取付け金具３３の下部に３６０度回転自在に支持されている。取付け金具３３は前記前方フレーム１１と後方フレーム１３の両面を左右から挟みつけるようＵ字状に形成され、上下二本の取付けねじ３５とそのナット３７とにより上下動自在に固定支持されている。これにより、前方フレーム１１及び後方フレーム１３を左右から挟みつける上下に長い取付け金具３３によって、確実な取付け強度が確保されるようになっている。
【００２３】
取付けねじ３５は、ナット３７を外すことで取外し可能となり前方フレーム１１及び後方フレーム１３にそれぞれ設けられた複数の取付孔３９をそれぞれ選択することでキャスタ９の高さ調節が可能となっている。
【００２４】
なお、図１において４１は支持棚部を示しており、前方フレーム１１に締結ねじ４３によって固定支持されている。
【００２５】
このように構成された歩行補助器１によれば、突起感のないシンプルな形状が得られる。また、全体が木材のため、室内で使用する時に家具等とマッチすると共に暖かみのある外観形状が得られる。
【００２６】
一方、立った状態にある時、歩行用握り部１９を両手で握ることで身体は歩行補助器１によって支えられ無理なく歩くことが可能となる。
【００２７】
次に、着座した状態にある時、着座したまま両手を伸ばし取手握り部２１を握ることで立上り動作が容易となる。この時、取手握り部２１は上部フレーム１５が下降傾斜した分、位置が下がることと、大きなアール部とによって確実に握れるようになる。
【００２８】
立上がった後、取手握り部２１から歩行用握り部１９へ手を移動させることで歩行が可能となる。この時、取手握り部２１と歩行用握り部１９は連続しているため、手の動きに障害があっても無理なく円滑に移動することができる。
【図面の簡単な説明】
【００２９】
【図１】本発明に係る歩行補助器の側面図。
【図２】歩行補助器の斜視図。
【図３】歩行補助器の正面図。
【図４】キャスタを伸張させた動作説明図。
【符号の説明】
【００３０】
３    サイドフレーム
５    上位側のクロスメンバ
７    下位側のクロスメンバ
９    キャスタ
１１    前方フレーム
１３    後方フレーム
１５    上部フレーム
１７    下部フレーム
１９    歩行用握り部
２１    取手握り部
２３    滑り止め部材
３３    取付け金具
【図１】
2006109944.tif 000003
【図２】
2006109944.tif 000004
【図３】
2006109944.tif 000005
【図４】
2006109944.tif 000006